(57)【要約】【課題】フィルター濾材の油分により目詰まりや、油分に付着する粉塵などによる集塵効率を低下する事無く長期間圧力損失の上昇を抑え、また油分による悪臭の放出を抑えた集塵フィルターを得ることを目的とする。【解決手段】油成分を分解する微生物１を充填したセラミック体２をフィルター濾材３に接着保持したことにより、セラミック体２の孔中の微生物１が空気中の湿分により活動を開始し、フィルター濾材３表面の油の成分を分解することにより、油によるフィルター濾材３の目詰まりを防ぎフィルター濾材の寿命を長くすることができる。【選択図】図１
2009165976.tif 000002
【特許請求の範囲】
【請求項１】
油成分を分解する微生物を充填したセラミック体を、フィルター濾材に接着保持したことを特徴とする集塵フィルター。
【請求項２】
高吸水性ポリマーを前記セラミック体に充填したことを特徴とする請求項１記載の集塵フィルター。
【請求項３】
前記セラミック体を有機物のコーティング剤でコーティングした請求項１または２に記載の集塵フィルター。
【請求項４】
前記コーティング剤の厚みを前記セラミック体の個体別に変える請求項３記載の集塵フィルター。
【請求項５】
前記セラミック体に抗菌剤と防カビ剤を充填することを特徴とする請求項１から４のいずれか１項に記載の集塵フィルター。
【請求項６】
前記セラミック体に芳香剤または消臭剤を充填することを特徴とする請求項１から５のいずれか１項に記載の集塵フィルター。
【請求項７】
前記セラミック体に微生物の栄養剤を充填することを特徴とする請求項１から６のいずれか１項に記載の集塵フィルター。
【請求項８】
油分吸収繊維のネットをフィルター濾材表面に接着し、前記ネットに接するように微生物を充填したセラミック体を配した請求項１から７のいずれか１項に記載の集塵フィルター。
【請求項９】
請求項１から８のいずれか１項に記載の集塵フィルターとヒーターと送風機を備え、前記ヒーターは前記集塵フィルターと前記送風機の間に設けた空気清浄装置。
【請求項１０】
ヒーターの稼動時間を調整するタイマーを設けた請求項９記載の空気清浄装置。
【請求項１１】
集塵フィルター前後の差圧を計る差圧センサーを設けた請求項９または１０記載の空気清浄装置。
【請求項１２】
請求項１から８のいずれか１項に記載の集塵フィルターと水を貯蔵するタンクと、水を微細化し噴霧する霧化装置と送風機を備え、前記送風機と前記集塵フィルターの間に前記無化装置を設けた空気清浄装置。
【請求項１３】
前記タンク内に貯蔵した水を加熱する熱源を設けた請求項１２記載の空気清浄装置。
【請求項１４】
請求項１から８のいずれか１項に記載の集塵フィルターと高吸水性ポリマーを接着したプレフィルターと送風機備え、前記集塵フィルターと前期送風機の間に前記プレフィルターを設置した空気清浄装置。
【請求項１５】
請求項３から８のいずれか１項に記載の集塵フィルターのコーティング剤に酸化チタンを混入したものと紫外線ランプと送風機を備え、前記集塵フィルターと前期送風機の間に紫外線ランプを設けた空気清浄装置。
【発明の詳細な説明】
【技術分野】
【０００１】
本発明は、集塵フィルター上で微生物による油分解に関する。
【背景技術】
【０００２】
従来、この種の空気清浄装置は、土中菌などの微生物を担持体に入れ、栄養分と水分を定期的に供給し世代交代をしながら製品を維持するものが知られている（例えば、特許文献１参照）。
【０００３】
以下、その空気清浄装置を図１６を参照しながら説明する。
【０００４】
図に示すように、本体１０１は、微生物を担持する担持体１０２と、土壌１０３と上澄み液１０４を入れるトレイ１０５とトレイ１０５から担持体１０２上部をつなぐ散水管１０６と上澄み液１０４を担持体１０２上部に運ぶポンプ１０７と、担持体１０２の水分量を測定するセンサー１０８とセンサー１０８の値によりポンプ１０７を制御する制御装置１０９と、本体１０１の下方向から空気を取り入れる空気取り入れ口１１０と、ファン１１１により空気を本体１０１より排出する空気排出口１１２からなる。
【０００５】
ポンプ１０７により送られた土壌１０３の栄養素を含んだ上澄み液１０４を散水管１０６により担持体１０２の上部より散水される。それにより担持体に付着している微生物が維持され、ファン１１１により空気取り入れ口１１０より本体１０１に取り込まれた空気を空気清浄し空気出口１１２より排出される。微生物の維持にはセンサー１０８により担持体１０２の水分量を確認し制御装置１０９によりポンプ１０７を動かし行う。
【特許文献１】特開２００２−３１５８１７号公報
【発明の開示】
【発明が解決しようとする課題】
【０００６】
このような従来の空気清浄装置では、微生物の維持には、水分や栄養が不可欠で、水分や栄養を微生物に適時供給するためにはポンプやセンサーが必要であり、そのため土壌の交換などの定期的なメンテナンスが必要となってくるという課題がある。
【０００７】
また、微生物に害のある気体が送り込まれた場合、担体上の微生物がすべて同時に死滅してしまうという課題がある。
【０００８】
本発明はこのような従来の課題を解決するものであり、メンテナンスを容易にし、微生物を一定数以上維持する空気清浄装置を提供することを目的としている。
【課題を解決するための手段】
【０００９】
本発明の集塵フィルターは上記目的を達成するために、油成分を分解する微生物を休眠状態でセラミック体の孔に充填したものである。
【００１０】
この手段により、大気中の湿分により微生物が徐々に活動するため、微生物の維持に別の装置が必要なく、メンテナンスが容易にできる集塵フィルターが得られる。
【００１１】
また、他の手段は高吸水性ポリマーをセラミック体に充填したことを特徴としたものである。
【００１２】
この手段により、空気中の湿分をより効率的に微生物に供給できる集塵フィルターが得られる。
【００１３】
また、他の手段はセラミック体を有機物のコーティング剤でコーティングしたものである。
【００１４】
この手段により、セラミック体の孔の中で微生物を休眠状態のまま維持でき、装置の寿命を延ばすことができる。また、フィルターに加工する際、コーティングされているので水に溶かして加工できるため加工性が向上する集塵フィルターが得られる。
【００１５】
また、他の手段は有機物のコーティング剤の厚みをセラミック体毎に変化させたものである。
【００１６】
この手段により有機物コーティング剤の劣化による剥離に差が生じ、長期間同等の能力を維持することができる集塵フィルターが得られる。
【００１７】
また、他の手段はセラミック体に防カビ剤、または抗菌剤、またはその両方を充填したことを特徴としたものである。
【００１８】
この手段によりフィルターに付着した油分にカビ、菌の繁殖が抑えられ、繁殖により油分が硬くなり分解が困難になることが抑えられ、また他のカビ、菌の繁殖により油分を分解する微生物の繁殖を妨げることのない集塵フィルターが得られる。
【００１９】
また、他の手段はセラミック体に芳香剤、または消臭剤、またはその両方を充填したことを特徴としたものである。
【００２０】
この手段により、フィルターに付着した油分からの悪臭を消臭し、また微生物が油分を分解する際に出す臭いを消臭することのできる集塵フィルターが得られる。
【００２１】
また、他の手段はセラミック体の栄養剤を充填したことを特長としたものである。
【００２２】
この手段により、フィルターに付着した油分が少ない場合に微生物の活動を維持することができる集塵フィルターが得られる。
【００２３】
また、油分を吸収する繊維のネットをフィルター表面に配し、ネットに接するように微生物を充填したセラミック体を配したものである。
【００２４】
これにより、フィルターに付着する油分の大部分がネットに吸収され、ネットに接する微生物により効率的に分解される集塵フィルターが得られる。
【００２５】
また、他の手段はヒーターと送風機を設け、温風をフィルターに送るものである。
【００２６】
この手段により、温風で微生物が活性化し、またフィルターに付着した油分が軟化することにより油分の分解が促進される空気清浄装置が得られる。
【００２７】
また、他の手段はタイマーを設置しヒーターの稼働時間を規定したものである。
【００２８】
これにより、目的の時間に微生物による油分の分解をより推進できる空気清浄装置が得られる。
【００２９】
また、他の手段は差圧センサーを設け、フィルターの前後の圧力を確認し、その差圧が一定の値を超えた場合、ヒーターを稼動させるものである。
【００３０】
これにより、油分によりフィルターの目がつまった場合にヒーターを駆動し、効率の良い油成分分解を行うことのできる空気清浄装置が得られる。
【００３１】
また、他の手段は水を貯蔵するタンクと水を微細化し噴霧する霧化装置を設け、微細水滴をフィルター表面に噴霧させたものである。
【００３２】
これにより、フィルター表面に微細な水が付着し、油分が付着しにくくなる、また微生物が活性化し、油分表面が軟化し油分の分解が促進される空気清浄装置が得られる。
【００３３】
また、他の手段は水を貯蔵するタンクに熱源を設け、熱源により貯蔵された水をお湯にし、お湯を微細化水滴としてフィルターに噴霧させたものである。
【００３４】
これにより、微生物の活性が上がり、また油分表面が軟化し油分の分解が促進される空気清浄装置が得られる。
【００３５】
また、他の手段は高吸水性ポリマーを接着したプレフィルターをフィルターの風上に配したものである。
【００３６】
これにより、空気中の湿分をプレフィルターにトラップし、送風される空気が乾燥した場合、トラップされた湿分がはなされフィルターに供給され、微生物が乾燥により維持されなくなることを防止する空気清浄装置が得られる。
【００３７】
また、有機物のコーティング剤に酸化チタンを混入し、近傍に紫外線ランプを配したものである。
【００３８】
これにより、有機物のコーティング剥離を光触媒反応により計画的に制御でき、装置の寿命を制御できる空気清浄装置が得られる。
【発明の効果】
【００３９】
本発明によれば、微生物の維持のために水分や栄養の供給装置を設けず、交換作業などの定期的なメンテナンスを不要にした集塵フィルターを提供することができる。
【００４０】
また、常に一定数以上の微生物の活性状態を維持した集塵フィルターを供給することができる。
【発明を実施するための最良の形態】
【００４１】
本発明の請求項１記載の発明は、油成分を分解する微生物を充填したセラミック体を、フィルター濾材に接着保持したものであり、これにより、空気中の湿分により微生物が徐々に活動するため、微生物の維持のために水分や栄養の供給装置を設けず、定期的なメンテナンスが不要となる効果がある。
【００４２】
また、高吸水性ポリマーをセラミック体に充填したものであり、これにより、空気中の湿分をより効率的に微生物に供給できるという効果が得られる。
【００４３】
また、セラミック体を有機物のコーティング剤でコーティングしたものであり、セラミック体の孔の中で微生物を休眠状態のまま維持でき、装置の寿命を延ばすことができる。
【００４４】
さらに、フィルターに加工する際、コーティングされているので水に溶かして加工できるため加工性が向上する効果がある。
【００４５】
また、有機物のコーティング剤の厚みをセラミック体毎に変化させたものであり、有機物コーティング剤の劣化による剥離に差が生じ、微生物の休眠から活動状態への移行時期を分散させることができる。
【００４６】
また、セラミック体に防カビ剤、または抗菌剤、またはその両方を充填したことを特長としたものであり、フィルターに付着した油分にカビ、菌の繁殖が抑えられ、繁殖により油分が硬くなり分解が困難になることが抑えられ、また他のカビ、菌の繁殖により油分を分解する微生物の繁殖を妨げることのないという効果がある。
【００４７】
また、セラミック体に芳香剤、または消臭剤、またはその両方を充填したことを特徴としたものであり、  フィルターに付着した油分からの悪臭を消臭し、また微生物が油分を分解する際に出す臭いを消臭する効果がある。
【００４８】
また、セラミック体に栄養剤を充填したことを特徴としたものであり、フィルターに付着した油分が少ない場合に微生物の活動を維持する効果がある。
【００４９】
また、油分を吸収する繊維のネットをフィルター表面に配し、ネットに接するように微生物を充填したセラミック体を配したものでありフィルターに付着する油分の大部分がネットに吸収され、ネットに接する微生物により効率的に分解される効果がある。
【００５０】
また、ヒーターと送風機を設け、温風をフィルターに送るものであり、温風で微生物が活性化し、またフィルターに付着した油分が軟化することにより油分の分解が促進される効果がある。
【００５１】
また、タイマーを設置しヒーターの稼働時間を規定したものであり、目的の時間に微生物による油分の分解をより推進できる効果がある。
【００５２】
また、差圧センサーを設け、フィルターの前後の圧力を確認し、その差圧が一定の値を超えた場合、ヒーターを稼動させるものであり、油分によりフィルターの目がつまった場合にヒーターを駆動し、効率の良い油成分分解を行う効果がある。
【００５３】
また、水を貯蔵するタンクと水を微細化し噴霧する霧化装置を設け、微細水滴をフィルター表面に噴霧させたものであり、フィルター表面に微細な水が付着し、油分が付着しにくくなる、また微生物が活性化し、油分表面が軟化し油分の分解が促進される効果がある。
【００５４】
また、水を貯蔵するタンクに熱源を設け、熱源により貯蔵された水をお湯にし、お湯を微細化水滴としてフィルターに噴霧させたものであり、微生物の活性が上がり、また油分表面が軟化し油分の分解が促進される効果がある。
【００５５】
また、高吸水性ポリマーを接着したプレフィルターをフィルターの風上に配したものであり、空気中の湿分をプレフィルターにトラップし、送風される空気が乾燥した場合、トラップされた湿分がはなされフィルターに供給され、微生物が乾燥により維持されなくなることを防止する効果がある。
【００５６】
また、有機物のコーティング剤に酸化チタンを混入し、近傍に紫外線ランプを配したものであり、有機物のコーティング剥離を光触媒反応により計画的に制御でき、装置の寿命を制御できる効果がある。
【００５７】
以下、本発明の実施の形態について図面を参照しながら説明する。
【００５８】
（実施の形態１）
図１に示すように、油分を分解する微生物１と微生物１を充填するセラミック体２とフィルター濾材３とフィルター濾材３とセラミック体２を接着する接着剤４からなる。
【００５９】
微生物１を休眠状態でセラミック体２の孔に充填する。充填方法としては、休眠中の微生物１と未担持のセラミック体２を同じポットに入れて攪拌する方法などがある。セラミック体２をフィルター濾材３の表面にセラミック体２を接着剤４で覆わないように接着する。接着剤４は樹脂系のバインダーなどがあり、全体を覆わないピンポイントでの接着やネット状の接着が好ましい。
【００６０】
微生物は好気性の油分解菌であればよく、菌種菌株は特定しない。たとえば、日立化成（株）のバイオ製剤などがある。
【００６１】
上記構成において空気中に粉塵と共に浮遊している油分や、タバコの煙に含まれるタールなどが送風により、フィルター濾材３の表面に付着する。セラミック体２の孔中の微生物１が空気中の湿分により活動を開始し、フィルター濾材３表面の油の成分を分解することにより、油によるフィルター濾材３の目詰まりを防ぎフィルター濾材の寿命を長くすることができる。
【００６２】
さらに、微生物を維持するための水分や栄養を適時供給する、ポンプやセンサ等の供給装置が不要であり、装置の定期的なメンテナンスも不要となる。  さらに、微生物の活動開始に時間差があるため、微生物に害のあるガスが送り込まれた場合においても微生物が全滅することはない。
【００６３】
（実施の形態２）
実施の形態１と同一部分は同一符号を付し詳細な説明は省略する。
【００６４】
図２に示すように、セラミック体２の孔に微生物１と供に高吸水性ポリマー５を充填し、フィルター濾材３に接着する。
【００６５】
高吸水性ポリマーの例として、ポリアクリル酸ナトリウムおよびそれを含む化合物などがある。
【００６６】
高吸水性ポリマー５は微生物１と同じ孔でも、別の孔に充填されても良い。
【００６７】
上記構成において、空気中に湿分が大量にある場合は、空気中の湿分により微生物が活動と同時に、高吸水性ポリマーが湿分を吸収し蓄える。また、空気中に湿分が少ない場合は、高吸水性ポリマーに蓄えられた湿分が濃度勾配により放湿されたものを微生物１に供給することにより、微生物１が活動することができる。
【００６８】
このように、高湿、低湿の場合でも、微生物１に連続で効率的な湿分を供給でき、微生物１の活動時間を長くすることができ、フィルター濾材３上での油分分解効率を上げることができる。
【００６９】
（実施の形態３）
実施の形態１または２と同一部分は同一符号を付し詳細な説明は省略する。
【００７０】
図３に示すように微生物１を充填したセラミック体２の表面に椰子油などの有機物のコーティング剤６でコーティングする。
【００７１】
上記構成において、有機物のコーティング剤は空気中の酸素による酸化剥離や、通風による剥離などにより徐々にセラミック体２より剥離し、それにより、セラミック体２の孔中の微生物が空気に触れ、徐々に休眠状態から活性状態になる。このことにより、微生物１に悪影響を与える気体等がフィルターに接触しても、微生物１が全滅することが無く、また長期間しようできる装置を得ることができる。
【００７２】
また、セラミック体２が有機物のコーティング剤６の状態で加工できるため、水に分散させフィルター濾材３に塗布できるため、加工性も向上する。
【００７３】
（実施の形態４）
実施の形態１乃至３と同一部分は同一符号を付し詳細な説明は省略する。
【００７４】
図４に示すように、コーティング剤６の厚みをセラミック体２毎に変化させる。
【００７５】
上記構成において、コーティング剤６の劣化に時間差を持たせることができ、計画的に必要な微生物１を活性状態にすることができ、長期間均一な油分解能力を有することができる。
【００７６】
（実施の形態５）
実施の形態１乃至４と同一部分は同一符号を付し詳細な説明は省略する。
【００７７】
図５に示すように、セラミック体２の孔に微生物１を充填したものと、セラミック体２の孔に防カビ剤７、または抗菌剤８、またはその両方を充填したものを同時にフィルター濾材３に接着したものである。
【００７８】
上記構成によりフィルター濾材３に付着した油分にカビ、菌の繁殖が抑えられ、また菌、カビの繁殖により油分が硬くなり微生物により油分解が困難になることが抑えられる。また他のカビ、菌の繁殖により油分を分解する微生物の繁殖を妨げることを抑制できる。このことにより、フィルター濾材３上で効率的な油分解が可能となる。
【００７９】
（実施の形態６）
実施の形態１乃至５と同一部分は同一符号を付し詳細な説明は省略する。
【００８０】
図６に示すように、セラミック体２の孔に微生物１を充填したものと、セラミック体２の孔に芳香剤９、または消臭剤１０、またはその両方を充填したものを同時にフィルター濾材３に接着したものである。
【００８１】
上記構成によりフィルター濾材３に付着した油分からの悪臭を消臭し、また微生物１が油分を分解する際に出す臭いを消臭することのでき、悪臭の放出を抑制することができる。
【００８２】
（実施の形態７）
実施の形態１乃至６と同一部分は同一符号を付し詳細な説明は省略する。
【００８３】
図７に示すように、セラミック体２の孔に微生物１を充填したものと、セラミック体２の孔に栄養剤１１を充填したものを同時にフィルター濾材３に接着したものである。
【００８４】
上記構成によりフィルター濾材３に微生物１の栄養素となる油分の付着が少ない場合に微生物１の活動を維持することができ、油分が定常的に付着しない場合場合でも、油分解の能力を維持することができる。
【００８５】
（実施の形態８）
実施の形態１乃至７と同一部分は同一符号を付し詳細な説明は省略する。
【００８６】
図１５に示すように油分を吸収する繊維のネット２２をフィルター濾材３表面に配し、ネット２２に接するように微生物１を充填したセラミック体２を配したものである。
【００８７】
上記構成によりフィルター濾材３に付着する油分の大部分がネット２２に吸収され、ネット２２に接する微生物１により効率的に分解される。
【００８８】
（実施の形態９）
実施の形態１乃至８と同一部分は同一符号を付し詳細な説明は省略する。
【００８９】
図８に示すようにヒーター１２と送風機１３を設け、温風をフィルター濾材３に送るものである。
【００９０】
上記構成により温風で微生物１が活性化し、またフィルター濾材３に付着した油分が軟化することにより油分の分解を促進することができる。
【００９１】
ヒーター１２は空気を暖めることができればよく、たとえばシーズヒーターなどがある。
【００９２】
（実施の形態１０）
実施の形態１乃至９と同一部分は同一符号を付し詳細な説明は省略する。
【００９３】
図１０に示すようにタイマー１４を設置しヒーター１２の稼働時間を規定したものである。
【００９４】
上記手段により目的の時間に微生物１による油分の分解をより推進でき、油分分解時に発生する臭気をたとえば人のいない時間帯に放出するなど、生活シーン応じた油分分解が可能となる。
【００９５】
（実施の形態１１）
実施の形態１乃至１０と同一部分は同一符号を付し詳細な説明は省略する。
【００９６】
図１１に示すように差圧センサー１５を設け、フィルター濾材３の前後の圧力を確認し、その差圧が一定の値を超えた場合、ヒーター１２を稼動させるものである。
【００９７】
上記構成により油分によりフィルター濾材３の目がつまった場合にヒーター１２を駆動し、急速に微生物１を活性化させまた油分を軟化させることにより効率の良い油分分解を行うことができる。
【００９８】
（実施の形態１２）
実施の形態１乃至１１と同一部分は同一符号を付し詳細な説明は省略する。
【００９９】
図１２に示すように水を貯蔵するタンク１６と水を微細化し噴霧する霧化装置１７を設け、微細水滴をフィルター濾材３表面に噴霧させる。
【０１００】
上記構成によりフィルター濾材３表面に微細な水が付着し油分が付着しにくくなる、また微生物１が活性化し、また油分表面が高価しにくくなり油分の分解が促進される。
【０１０１】
（実施の形態１３）
実施の形態１乃至１２と同一部分は同一符号を付し詳細な説明は省略する。
【０１０２】
図１３に示すように水を貯蔵するタンク１６に熱源１８を設け、熱源により貯蔵された水を温水にし、温水を微細化水滴としてフィルター濾材３に噴霧させたものである。
【０１０３】
上記構成によりフィルター濾材３表面に微細な温水が付着し油分が付着しにくくなる、また微生物１の活性が上がり、また温水により油分表面が軟化し油分の分解が促進されるる。
【０１０４】
（実施の形態１４）
実施の形態１乃至１３と同一部分は同一符号を付し詳細な説明は省略する。
【０１０５】
図１４に示すように高吸水性ポリマー５を接着したプレフィルター１９をフィルター濾材３の風上に配したものである。
【０１０６】
上記構成により空気中の湿分をプレフィルター１９にトラップし、送風される空気が乾燥した場合、プレフィルター１９にトラップされた湿分がはなされフィルター濾材３に供給され、微生物１が空気の乾燥により活性を維持されなくなることを防止することができる。
【０１０７】
（実施の形態１５）
実施の形態１乃至１４と同一部分は同一符号を付し詳細な説明は省略する。
【０１０８】
図１５に示すように有機物のコーティング剤６に酸化チタン２０を混入し、近傍に紫外線ランプ２１を配したものである。
【０１０９】
上記構成により有機物のコーティング剤６の剥離を紫外線ランプ２１より紫外線を照射することによる酸化チタン２０の光触媒酸化反応により制御でき、装置の寿命を計画的に制御できる。
【産業上の利用可能性】
【０１１０】
油分により目詰まりや、油分に付着する粉塵などによる集塵効率を低下する事無く長期間圧力損失の上昇を抑え、また油分による悪臭の放出を抑えた集塵フィルターを得られる。
【図面の簡単な説明】
【０１１１】
【図１】本発明の実施の形態１の概略構成図
【図２】本発明の実施の形態２の概略構成図
【図３】本発明の実施の形態３の概略構成図
【図４】本発明の実施の形態４の概略構成図
【図５】本発明の実施の形態５の概略構成図
【図６】本発明の実施の形態６の概略構成図
【図７】本発明の実施の形態７の概略構成図
【図８】本発明の実施の形態８の概略構成図
【図９】本発明の実施の形態９の概略構成図
【図１０】本発明の実施の形態１０の概略構成図
【図１１】本発明の実施の形態１１の概略構成図
【図１２】本発明の実施の形態１２の概略構成図
【図１３】本発明の実施の形態１３の概略構成図
【図１４】本発明の実施の形態１４の概略構成図
【図１５】本発明の実施の形態１５の概略構成図
【図１６】従来の技術の概略構成図
【符号の説明】
【０１１２】
１      微生物
２      セラミック体
３      フィルター濾材
４      接着剤
５      高吸水性ポリマー
６      コーティング剤
７      防カビ剤
８      抗菌剤
９      芳香剤
１０    消臭剤
１１    栄養剤
１２    ヒーター
１３    送風機
１４    タイマー
１５    差圧センサー
１６    タンク
１７    霧化装置
１８    熱源
１９    プレフィルター
２０    酸化チタン
２１    紫外線ランプ
２２    ネット
１０１  本体
１０２  担持体
１０３  土壌
１０４  上澄み液
１０５  トレイ
１０６  散水管
１０７  ポンプ
１０８  センサー
１０９  制御装置
１１０  空気取り入れ口
１１１  ファン
１１２  空気出口
【図１】
2009165976.tif 000003
【図２】
2009165976.tif 000004
【図３】
2009165976.tif 000005
【図４】
2009165976.tif 000006
【図５】
2009165976.tif 000007
【図６】
2009165976.tif 000008
【図７】
2009165976.tif 000009
【図８】
2009165976.tif 000010
【図９】
2009165976.tif 000011
【図１０】
2009165976.tif 000012
【図１１】
2009165976.tif 000013
【図１２】
2009165976.tif 000014
【図１３】
2009165976.tif 000015
【図１４】
2009165976.tif 000016
【図１５】
2009165976.tif 000017
【図１６】
2009165976.tif 000018